(57)【要約】【課題】この発明は、方式の異なる映像信号を選択的に外部出力し、しかも、簡易な構成で外部出力している映像信号を表示し得る映像表示装置を提供することを目的としている。【解決手段】光ディスク２５から読み取りＭＰＥＧデコーダ２９から出力されたデジタル映像信号と、このデジタル映像信号をＩ−Ｐ変換部３０でプログレッシブ方式に変換したデジタル映像信号とを、スイッチ３１によって選択し、映像出力端子１９から外部出力する。この場合、Ｉ−Ｐ変換部３０から出力されるデジタル映像信号を液晶表示部１３に供給し、液晶モニタ２３で映像表示させる。【選択図】　　図２
2004096466.tif 000002
【特許請求の範囲】
【請求項１】
入力映像信号に方式変換処理を施す変換手段と、
この変換手段で方式変換された映像信号と前記入力映像信号とを選択的に外部出力する切替手段と、
前記変換手段で方式変換された映像信号が供給されて映像表示を行なう表示手段とを具備したことを特徴とする映像表示装置。
【請求項２】
前記切替手段は、
前記変換手段で方式変換された映像信号と前記入力映像信号とを選択的に導出するスイッチと、
このスイッチによって導出された映像信号に所定の信号処理を施して外部出力用の端子に供給する信号処理手段とを具備したことを特徴とする請求項１記載の映像表示装置。
【請求項３】
前記切替手段による映像信号の外部出力を行なうか否かを選択する操作子と、
この操作子により映像信号の外部出力を行なわないことが要求された状態で、前記信号処理手段に対する電力の供給を遮断する制御手段とを具備したことを特徴とする請求項２記載の映像表示装置。
【請求項４】
前記変換手段は、インターレース方式の映像信号をプログレッシブ方式の映像信号に方式変換することを特徴とする請求項１記載の映像表示装置。
【請求項５】
前記入力映像信号は、ディスク状の記録媒体から読み取った情報に基づいて生成されることを特徴とする請求項１記載の映像表示装置。
【請求項６】
前記表示手段は、液晶モニタを有することを特徴とする請求項１記載の映像表示装置。
【請求項７】
光ディスクからそこに記録されている映像情報を読み取るディスクドライブ手段と、
このディスクドライブ手段で読み取られた映像情報にデコード処理を施してデジタル映像信号を生成するデコーダと、
このデコーダで生成されたデジタル映像信号にインターレース方式からプログレッシブ方式への方式変換処理を施す変換手段と、
この変換手段から出力されたデジタル映像信号と前記デコーダから出力されたデジタル映像信号とを選択的に導出するスイッチと、
このスイッチで導出されたデジタル映像信号に所定の信号処理を施して外部出力用の端子に供給する信号処理手段と、
前記変換手段で方式変換された映像信号が供給されて映像表示を行なう液晶表示手段とを具備したことを特徴とするディスク再生装置。
【請求項８】
前記信号処理手段による映像信号の外部出力を行なうか否かを選択する操作子と、
この操作子により映像信号の外部出力を行なわないことが要求された状態で、前記信号処理手段に対する電力の供給を遮断する制御手段とを具備したことを特徴とする請求項７記載のディスク再生装置。
【発明の詳細な説明】
【０００１】
【発明の属する技術分野】
この発明は、入力映像信号を方式変換して表示する映像表示装置に係り、特に液晶表示部を備えた携帯用のＤＶＤ（Ｄｉｇｉｔａｌ　Ｖｅｒｓａｔｉｌｅ　Ｄｉｓｋ）プレーヤ等に使用して好適するものに関する。
【０００２】
【従来の技術】
周知のように、首記の如きＤＶＤプレーヤは、ＤＶＤから情報を読み取ってデコードするディスクドライブ部を備えた装置本体に、液晶モニタを備えた液晶表示部を展開自在となるように連結した構造となっている。
【０００３】
すなわち、この装置本体では、ＤＶＤから光学式ピックアップを介して映像情報を読み取り、その読み取った映像情報にデコード処理を施した後、復調処理を施してベースバンドのアナログ映像信号を得ている。
【０００４】
そして、この装置本体で復調されたベースバンドのアナログ映像信号は、外部出力用端子を介して装置本体の外部に取り出すことが可能であるとともに、上記液晶表示部に供給されて液晶モニタでの映像表示に供される。
【０００５】
ところで、ＤＶＤプレーヤにおける液晶表示部は、プログレッシブ方式対応に設計されている。また、ＤＶＤプレーヤでは、外部出力用端子にプログレッシブ方式対応の映像表示機器が接続される場合が多々ある。
【０００６】
このため、現在のＤＶＤプレーヤには、デコード処理後のインターレース方式の映像信号を、プログレッシブ方式の映像信号に変換するために、Ｉ−Ｐ（Ｉｎｔｅｒｌａｃｅ−Ｐｒｏｇｒｅｓｓｉｖｅ）変換部が設置されている。
【０００７】
そして、デコード処理後のインターレース方式の映像信号を、そのまま復調したベースバンドのアナログ映像信号を外部出力に供するモードと、デコード処理後のインターレース方式の映像信号を、Ｉ−Ｐ変換部でプログレッシブ方式に変換してから復調したベースバンドのアナログ映像信号を外部出力に供するモードとを、ユーザが選択可能となっている。
【０００８】
しかしながら、このような現状のＤＶＤプレーヤでは、いずれのモードにおいても、復調後のベースバンドのアナログ映像信号を、液晶表示部で表示させる映像信号として使用している。
【０００９】
このため、液晶表示部では、復調後のベースバンドのアナログ映像信号を再度デジタル映像信号に変換し、Ｉ−Ｐ変換してから液晶モニタで表示可能な映像信号に変換する必要がある。
【００１０】
これにより、液晶表示部における回路規模の増大を招くとともに、装置本体と液晶表示部とにそれぞれＩ−Ｐ変換部が必要となることから、全体として構成が大型化し消費電力も大きくなって、特に携帯用としては実用に不向きであるという問題が生じている。
【００１１】
なお、特開平１０−１１７３２４号公報には、ＤＶＤを長時間再生可能とする携帯用情報処理装置が開示されている。しかしながら、この公開公報には、上記したような、インターレース方式の映像信号とプログレッシブ方式の映像信号とを共に取り扱う上で生じる構成上の問題を解決することについては、何らの記載もなされていないものである。
【００１２】
【発明が解決しようとする課題】
そこで、この発明は上記事情を考慮してなされたもので、方式の異なる映像信号を選択的に外部出力し、しかも、簡易な構成で外部出力している映像信号を表示し得る映像表示装置を提供することを目的とする。
【００１３】
【課題を解決するための手段】
この発明に係る映像表示装置は、入力映像信号に方式変換処理を施す変換手段と、この変換手段で方式変換された映像信号と入力映像信号とを選択的に外部出力する切替手段と、変換手段で方式変換された映像信号が供給されて映像表示を行なう表示手段とを備えるようにしたものである。
【００１４】
上記のような構成によれば、入力映像信号に方式変換処理を施す変換手段で方式変換された映像信号を、表示手段に供給して映像表示に供させるようにしたので、方式の異なる映像信号を選択的に外部出力し、しかも、簡易な構成で外部出力している映像信号を表示させることができる。
【００１５】
【発明の実施の形態】
以下、この発明の実施の形態について、図面を参照して詳細に説明する。図１は、この実施の形態で説明する液晶表示部を備えた携帯用のＤＶＤプレーヤ１１の外観を示している。このＤＶＤプレーヤ１１は、装置本体１２と、この装置本体１２に支持された液晶表示部１３とで構成されている。
【００１６】
このうち、装置本体１２は、平坦な上面１４を有する偏平な四角形の箱状に形成されている。この装置本体１２の上面１４には、図示しないＤＶＤ等の光ディスクを装着可能なディスク収容部１５が形成されている。このディスク収容部１５は、開閉可能なディスクカバー１６によって覆われている。
【００１７】
また、この装置本体１２には、その上面１４に各種の操作子１７が配列されている。この各種の操作子１７としては、例えば、十字カーソルキー、電源スイッチ、再生キー、停止キー及び特殊再生用のキー等がある。
【００１８】
さらに、この装置本体１２の一側面１８には、光ディスクを再生して得られた映像信号をアナログ形式で外部に出力するための映像出力端子１９と、光ディスクを再生して得られた音声信号をアナログ形式で外部に出力するための音声出力端子２０とが設置されている。
【００１９】
ここで、装置本体１２には、その上面１４の後端部に設けられた支持部２１を介して、上記液晶表示部１３が展開自在に支持されている。この液晶表示部１３は、ハウジング２２の内部にプログレッシブ方式対応の液晶モニタ２３を収容したもので、光ディスクを再生して得られた映像信号を、液晶モニタ２３に映像表示させることができる。
【００２０】
そして、この液晶表示部１３は、装置本体１２の上面１４を覆うように倒される閉位置と、この上面１４を露出させるように起立する開位置との間を回動可能となっており、液晶表示部１３が開位置に回動された状態では、液晶モニタ２３の表示画面がユーザと向かい合うようになっている。
【００２１】
また、この液晶表示部１３には、その支持部２１の近傍にスピーカ２４，２４が設置されている。このスピーカ２４，２４は、光ディスクを再生して得られた音声信号を、ステレオ形式で音声再生することができる。
【００２２】
図２は、上記ＤＶＤプレーヤ１１における信号処理系の詳細を示している。まず、装置本体１２において、前記ディスク収容部１５に装着された光ディスク２５は、ディスクドライブ部２６によって回転駆動されるとともに、その光学式ピックアップ２６ａによって、記録されている情報が読み取られる。
【００２３】
なお、ディスクドライブ部２６における、光ディスク２５の回転制御、光学式ピックアップ２６ａの送り制御、図示しない対物レンズに対するフォーカスやトラッキング制御等は、光学式ピックアップ１６ａからの出力信号を受けるサーボ部２７によって行なわれている。
【００２４】
そして、光学式ピックアップ２６ａで読み取られた光ディスク２５の情報は、分離部２８に供給されて映像信号と音声信号とに分離される。このうち、映像信号は、ＭＰＥＧ（Ｍｏｖｉｎｇ　Ｐｉｃｔｕｒｅ　Ｅｘｐｅｒｔｓ　Ｇｒｏｕｐ）デコーダ２９に供給されてＭＰＥＧデコード処理された後、Ｉ−Ｐ変換部３０に供給される。
【００２５】
このＩ−Ｐ変換部３０は、ＭＰＥＧデコーダ２９から出力されるインターレース方式の映像信号を、プログレッシブ方式の映像信号に変換して出力する機能を有する。
【００２６】
そして、ＭＰＥＧデコーダ２９から出力された映像信号と、Ｉ−Ｐ変換部３０から出力された映像信号とは、スイッチ３１によって選択的に映像処理部３２に供給され、ベースバンドのアナログ映像信号に復調される。
【００２７】
その後、この映像処理部３２から出力されるベースバンドのアナログ映像信号は、インターフェース部３３を介して前記映像出力端子１９に供給され、外部に取り出される。
【００２８】
このため、スイッチ３１を切り替えることにより、ＭＰＥＧデコーダ２９から出力されるインターレース方式の映像信号に対応したアナログ映像信号と、Ｉ−Ｐ変換部３０から出力されるプログレッシブ方式の映像信号に対応したアナログ映像信号とを、選択的に外部に出力することが可能となる。
【００２９】
また、上記分離部２８で分離された音声信号は、音声デコーダ３４に供給されてデコード処理され、音声処理部３５によりアナログ音声信号に復調された後、インターフェース部３６を介して前記音声出力端子２０に供給され、外部に取り出される。
【００３０】
上記した一連の光ディスク２５の再生動作は、ＣＰＵ（Ｃｅｎｔｒａｌ　Ｐｒｏｃｅｓｓｉｎｇ　Ｕｎｉｔ）３７によって統括的に制御されている。すなわち、このＣＰＵ３７は、記憶部３８に格納されたプログラムに基づいて、また、記憶部３８を作業エリアとして利用して、前記した各種の操作子１７からの操作情報に対応した動作が行なわれるように、各部２７，２９〜３６を制御している。
【００３１】
ここで、上記Ｉ−Ｐ変換部３０から出力されたプログレッシブ方式の映像信号は、液晶表示部１３内の液晶制御部３９に供給されて液晶モニタ２３で表示可能なフォーマットのアナログ映像信号に変換された後、液晶モニタ２３で映像表示される。
【００３２】
また、上記音声処理部３５から出力されたアナログ音声信号は、液晶表示部１３内の増幅部４０で増幅された後、前述したスピーカ２４，２４により音声再生される。
【００３３】
上記した実施の形態によれば、装置本体１２に設置されたＩ−Ｐ変換部３０から出力されるプログレッシブ方式の映像信号を液晶表示部１３に導き、その液晶モニタ２３での映像表示に供させるようにしている。
【００３４】
このため、今までのように、外部出力される、つまり、復調されて映像出力端子１９に供給されるベースバンドのアナログ映像信号を、デジタル映像信号に変換しＩ−Ｐ変換してから液晶モニタ２３で表示可能な映像信号に変換する処理が必要なくなり、液晶表示部１３の回路構成を簡易化することができ、携帯に好適するものとなる。
【００３５】
また、液晶表示部１３の液晶モニタ２３による映像表示だけを行ない、アナログ映像信号を外部出力しない場合には、映像処理部３２及びインターフェース部３３に対する電力供給を遮断することもできるので、電池電力を節約することも可能となる。このため、上記操作子１７として、アナログ映像信号を外部出力するか否かを選択可能なキーを備えるようにしても良い。
【００３６】
なお、この発明は上記した実施の形態に限定されるものではなく、この外その要旨を逸脱しない範囲で種々変形して実施することができる。
【００３７】
【発明の効果】
以上詳述したようにこの発明によれば、方式の異なる映像信号を選択的に外部出力し、しかも、簡易な構成で外部出力している映像信号を表示し得る映像表示装置を提供することができる。
【図面の簡単な説明】
【図１】この発明の実施の形態を示すもので、ＤＶＤプレーヤの外観を説明するために示す斜視図。
【図２】同実施の形態におけるＤＶＤプレーヤの信号処理系の詳細を説明するために示すブロック構成図。
【符号の説明】
１１…ＤＶＤプレーヤ、
１２…装置本体、
１３…液晶表示部、
１４…上面、
１５…ディスク収容部、
１６…ディスクカバー、
１７…操作子、
１８…一側面、
１９…映像出力端子、
２０…音声出力端子、
２１…支持部、
２２…ハウジング、
２３…液晶モニタ、
２４…スピーカ、
２５…光ディスク、
２６…ディスクドライブ部、
２７…サーボ部、
２８…分離部、
２９…ＭＰＥＧデコーダ、
３０…Ｉ−Ｐ変換部、
３１…スイッチ、
３２…映像処理部、
３３…インターフェース部、
３４…音声デコーダ、
３５…音声処理部、
３６…インターフェース部、
３７…ＣＰＵ、
３８…記憶部、
３９…液晶制御部、
４０…増幅部。
【図１】
2004096466.tif 000003
【図２】
2004096466.tif 000004